Podtech/llm-jp-corpus-v4-ja_patent huggingface dataset:
(57)【要約】【課題】  床がフローリングであり、部屋は洋室ということが多い。このような場合、従来では考えられないようなピンクの畳であっても人気があることを考え合わせると、畳縁であっても、その部屋の雰囲気に合わせた色や模様、その他種々のキャラクターを表したものが望まれることが考えられる。よって、小ロットで簡単にそれぞれに対応した模様等の縁を製造したいが、上記した織物であるため、非常に難しい。そこで、簡単に複雑な模様やキャラクターでも小ロット簡単に現出できる畳縁を提供する。【解決手段】  経糸にポリエステルのマルチフィラメント糸を、緯糸にポリエステル、ナイロン、ポリウレタンから選ばれる１種からなるマルチフィラメント糸を用いて織った布地に、熱転写印刷したもの。【選択図】  図１
2016056499.tif 000002
【特許請求の範囲】
【請求項１】
経糸にポリエステルのマルチフィラメント糸を、緯糸にポリエステル、ナイロン、ポリウレタンから選ばれる１種からなるマルチフィラメント糸を用いて織った布地に、熱転写印刷したことを特徴とする畳縁。
【請求項２】
経糸にポリエステルのマルチフィラメント糸を、緯糸にポリエステルのマルチフィラメント糸とポリエステルのモノフィラメント糸を引きそろえたものを用いて織った布地に、熱転写印刷したことを特徴とする畳縁。
【発明の詳細な説明】
【技術分野】
【０００１】
本発明は、畳縁に関するものである。
【背景技術】
【０００２】
畳縁は、いわゆる縁なし畳以外の畳の２辺端部に縫い付けられているもので、畳の端部の保護と、一定の装飾を目的としている。
従来は綿糸で比較的剛く織られていた。しかし、数十年前から、その素材はほとんどがポリオレフィンに変わり、最近ではポリエステル製が多い。
【０００３】
この畳縁は色彩的には、黒や茶色が多いが、昔から家紋を入れたり、金糸銀糸を用いたような非常に多彩なものも一部には使用されていた。しかし、この縁は当然ながら織物であり、その着色は着色繊維を織って模様を現出していた。しかし、この織りで表現する方法は平織であってもジャガード織であっても、１つの模様を小ロットでは難しく、コストのかかるものであった。
【０００４】
また、最近ではマンションなどは、畳の部屋がないものも増えてきており、フローリングの部屋が大部分である。しかし、年配の方々の中には、やはり１部屋は畳の部屋がほしい、お茶を飲むときには畳に座りたい等の要望がある。そのため、フローリングの部屋に、薄い畳を２畳、３畳分だけ敷く、いわゆる置き畳が多用されてきている。
【０００５】
このような場合、床がフローリングであり、部屋は洋室ということが多い。このような場合、従来では考えられないようなピンクの畳であっても人気があることを考え合わせると、畳縁であっても、その部屋の雰囲気に合わせた色や模様、その他種々のキャラクターを表したものが望まれることが考えられる。
【０００６】
よって、小ロットで簡単にそれぞれに対応した模様等の縁を製造したいが、上記した織物であるため、非常に難しい。
【発明の概要】
【発明が解決しようとする課題】
【０００７】
そこで、簡単に複雑な模様やキャラクターでも小ロット簡単に現出できる畳縁を提供する。
【課題を解決するための手段】
【０００８】
以上のような現状に鑑み、本発明者は鋭意研究の結果本発明畳縁を完成したものであり、その特徴とするところは、第１の態様では、経糸にポリエステルのマルチフィラメント糸を、緯糸にポリエステル、ナイロン、ポリウレタンから選ばれる１種からなるマルチフィラメント糸を用いて織った布地に、熱転写印刷した点にあり、第２の態様では、経糸にポリエステルのマルチフィラメント糸を、緯糸にポリエステルのマルチフィラメント糸とポリエステルのモノフィラメント糸を引きそろえたものを用いて織った布地に、熱転写印刷した点にある。
【０００９】
ここで、本発明畳縁を使用する畳は、通常の畳、薄畳、置畳、茣蓙、その他畳表（天然や人工のイグサを用いたもの）を用いたものであればよい。
【００１０】
熱転写印刷とは、昇華型インク（分散染料インク等）を転写紙に印刷し、その転写紙の印刷面を被印刷物の転写面にあわせて、熱転写機にて、１８０℃〜２００℃程度の高温と圧力をかけて、昇華、気化したインクが被印刷物の分子構造に入り込み、着色する方法である。
この印刷方法は、被印刷物に少々の凹凸があっても、きれいに印刷できることが大きなポイントである。
さらに、同種のスクリーン印刷と比べて小ロットでの省コスト化が可能であるばかりか、図柄の鮮明さも優れている。
【００１１】
本発明に使用するインクとしては、一般的な熱転写用インクであればどのようなものでもよい。例えば、モノアゾ染料（黄色から赤の色相）やアントラキノン系（青から紫の色相）染料の昇華性インクが好適である。
【００１２】
本発明畳縁に使用する経糸は、ポリエステルのマルチフィラメント糸を使用している。これは耐熱性からである。
【００１３】
また、本発明畳縁に使用する横糸は、ポリエステル、ナイロン、ポリウレタンから選ばれる１種からなるマルチフィラメント糸である。これらは、特別なものである必要はなく、一般の畳縁を織るときに用いられているものである。これらは比較的耐熱性が高く、１８０℃〜２００℃に耐えることができる。
【００１４】
更に、本発明の第２の態様では、上記した発明の横糸を、ポリエステルのマルチフィラメント糸とポリエステルのモノフィラメント糸を引きそろえたものにしている。これは、撚っていないだけコストダウンになる。
【００１５】
熱転写による模様としては、金襴文様、繧繝錦文様、白大紋等、従来ほとんど１品生産の誂え品のような高級な文様ができる。また、まったく従来にはない洋風な模様や図柄、さらには若者に人気のキャラクター模様等自由に現出できる。
特に子供部屋では、カラー畳を用いて、動物や植物の図柄の畳縁を使用すると楽しい部屋になる。
【発明の効果】
【００１６】
（１）  印刷できるものであればどのようなものでも、縁に現出できる。
（２）  洋風の部屋に畳をマッチさせることが可能になる。
【図面の簡単な説明】
【００１７】
【図１】本発明によって印刷した畳縁を用いた畳の斜視図である。
【発明を実施するための形態】
【００１８】
以下実施例に基づいてより詳細に説明する。
図１は、本発明によって印刷した畳縁を用いた畳の斜視図である。この例の畳縁は、経糸にポリエステルのマルチフィラメント糸を、緯糸にポリエステルのマルチフィラメント糸とポリエステルのモノフィラメント糸を引きそろえたものを用いて、平織したものである。
【００１９】
熱転写に用いたインクは、市販されているもので特別なものではない。また、転写紙もＣＭＣが塗布された紙を用いてグラビア印刷したものを用いた。転写は通常の方式で、転写機で行った。
【００２０】
この部屋は、フローリング形式の子供部屋である。全体として花柄の雰囲気の部屋（図示は略）であるため、縁がこの例ように花模様が最適である。このような種々の花柄に簡単にできるのも本発明の大きな特徴である。
【図１】
2016056499.tif 000003
(57)【要約】【課題】この発明は、足に装着した際、常に、フィットし、シューズの内側内に納まり、外部から見えないフットカバーを開発・提供するものである。【解決手段】伸縮性生地を用いて、足底部材（１）と、足の爪先部、足の側辺部材、踵部材とを一体に形成した足甲部材（２）の２つの部材を縫合し、着用者の足部を覆うフットカバーであって、該カバーの上部には足の出し入れ口（３）を設け、該足の出し入れ口（３）の周囲には、内周にわたって樹脂製の滑り止め縁部材（４）を設けたことを特徴とするフットカバーから構成される。【選択図】  図１
2016056479.tif 000002
【特許請求の範囲】
【請求項１】
伸縮性生地を用いて、
足底部材と、
足の爪先部、足の側辺部材、踵部材とを一体に形成した足甲部材の
２つの部材を縫合し、着用者の足部を覆うフットカバーであって、
該カバーの上部には足の出し入れ口を設け、
該足の出し入れ口の周囲には、内周にわたって樹脂製の滑り止め縁部材を設けた
ことを特徴とするフットカバー。
【請求項２】
前記滑り止め縁部材が、略リング状である
ことを特徴とする請求項１記載のフットカバー。
【請求項３】
前記踵滑り止め部材が、爪先部および足の側辺部を内リングと外リングの２重のリング状に形成したことを特徴とする請求項１または２記載のフットカバー。
【発明の詳細な説明】
【技術分野】
【０００１】
この発明は、フットカバーに関するものであり、特に、足の甲部分が大きく開いた靴を素足で履く際に、使用するものである。
【背景技術】
【０００２】
従来、足の甲部分が大きく開いた靴には、ハイヒール、モカシンシューズ、ローファードライビングシューズ等をはじめ各種のシューズがあり、これらは大抵、素足で履くものである。
【０００３】
しかし、素足で長時間履けば、着用者の足に食い込み、足に型が付いてしったり、痛みを感じたり、不快感を与えないフットカバーは開示されている。例えば、特許文献１のように。
【０００４】
また、素足に着用した場合でも履き心地がよく、ずれにくく縫い目を備えないフットカバーも開示されている。例えば、特許文献２のように。
【０００５】
そして、フットカバーを履く時に開口部が十分開いて履きやすく、歩行時やシューズの脱ぎ履き時に脱げてしまったり、履き位置のずれないフットカバーが開示されている。例えば、特許文献３のように。
【０００６】
さらに、フットカバーを履く時に開口部が十分開いて履きやすく、歩行時やシューズの脱ぎ履き時に脱げてしまったりすることがなく、開口部に設けられた伸縮性細幅生地が目立ち難く、肌触りもよいフットカバーが開示されている。例えば、特許文献４のように。
【先行技術文献】
【特許文献】
【０００７】
【特許文献１】特開２０１３−０７６２０５号公報
【特許文献２】特開２０１４−０４７４３３号公報
【特許文献３】特開２０１４−０３４７３４号公報
【特許文献４】特開２０１４−１３３９５２号公報
【発明の概要】
【発明が解決しようとする課題】
【０００８】
そこでこの発明は、足に装着した際、常に、フィットし、シューズの内側内に納まり、外部から見えないフットカバーを開発・提供するものである。
【課題を解決するための手段】
【０００９】
この発明のフットカバーは、
伸縮性生地を用いて、
足底部材と、
足の爪先部、足の側辺部材、踵部材とを一体に形成した足甲部材の
２つの部材を縫合し、着用者の足部を覆うフットカバーであって、
該カバーの上部には足の出し入れ口を設け、
該足の出し入れ口の周囲には、内周にわたって樹脂製の滑り止め縁部材を設けた
ことを特徴とする。
【００１０】
そして、前記滑り止め縁部材が、略リング状である
ことを特徴とする。
【００１１】
さらに、前記踵滑り止め部材が、爪先部および足の側辺部を内リングと外リングの２重のリング状に形成したことを特徴とする。
【発明の効果】
【００１２】
この発明によると、フットカバーの足の出し入れ口（３）の周囲に、内周にわたって樹脂製の滑り止め縁部材（４）を設けたことにより、再三の使用によりフットカバー素材が弛緩しても滑り止め縁部材をリング状に形成することにより、足によりよくフィットする等の効果を奏するものである。
【００１３】
また、足の出し入れ口（３）の周囲には、内周にわたって樹脂製の滑り止め縁部材（４）を略リング状に設けているため、滑り止め効果に優れ、しかも、該略リングの爪先部および側辺部を、内リング（４ａ）と外リング（４ｂ）の２重のリング状に分岐して形成することにより、着用中には、よりフィットする等の効果を奏する。
【図面の簡単な説明】
【００１４】
【図１】この発明の一実施例を示すフットカバーの斜視図である。
【図２】この発明の一実施例を示すフットカバーの一部欠截平面図である。
【図３】この発明の使用状態を示すフットカバーの断面図である。
【発明を実施するための形態】
【００１５】
以下、この発明について詳細に説明する。尚、この発明においては、以下の記述に限定されるものではなく、この発明の要旨を逸脱しない範囲においては適宜変更可能である。
【実施例】
【００１６】
以下、この発明の一実施を図面に基づいて説明すると、伸縮性生地を用いて、足底部材（１）と、足の爪先部、足の側辺部材、踵部材とを一体に形成した足甲部材（２）の２つの部材を縫合し、着用者の足部を覆うフットカバーであって、該カバーの上部には足の出し入れ口（３）を設け、該足の出し入れ口（３）の周囲には、内周にわたってシリコン樹脂等の樹脂製の滑り止め縁部材（４）を設けたことを特徴とするフットカバーから構成される。
【００１７】
そして、前記滑り止め縁部材（４）は、略リング状に形成されているものである。
【００１８】
さらに、前記踵滑り止め部材（４）が、爪先部および足の側辺部を内リング（４ａ）と外リング（４ｂ）の２重のリング状に形成したことを特徴とするフットカバーである。
【産業上の利用可能性】
【００１９】
この発明のフットカバーの技術を確立し、実施することにより産業上利用可能性があるものである。
【符号の説明】
【００２０】
１  足底部材
２  足甲部材
３  足の出し入れ口
４  滑り止め縁部材
４ａ  内リング
４ｂ  外リング
【図１】
2016056479.tif 000003
【図２】
2016056479.tif 000004
【図３】
2016056479.tif 000005
(57)【要約】【課題】従来、介護用品である吸水パンツや吸水パットの周縁は薄いため、肌は絶えず線接触作用を受け、股ずれを生ずる。これが、高じると、切り傷状になって症状が悪化するため、着用するのに苦痛を感じているのが現状である。【解決手段】吸水パンツの足回りヤ吸水パットの周縁を帯状の綿で包み、肌にやさしい布を被せて縫合した。  これにより、今まで、肌に線接触であったのが、面（綿）接触になるので、着用しても股ずれせず、毎日、快適な生活をすることができる。【特許請求の範囲】
【請求項１】
吸水パシツの足回りの周縁を帯状の綿で夾み、木綿か絹状の肌にやさしい布を被せてひだ状に縫合した股ずれ防止付き介護用品。
【請求項２】
吸水パットの周縁を帯状の綿で夾み、木綿か絹状の肌にやさしい布を被せて縫合した請求項１記載の股ずれ防止付き介護用品。
【発明の詳細な説明】
【技術分野】
【０００１】  本発明は、着用する介護用品による股ずれを防止した股ずれ防止付き介護用品に関する。
【背景技術】
【０００２】  従来、介護用品である吸水パシツや吸水パットの周縁は薄いため、肌は絶えず線接触を受け、股ずれを生じる。これが高じると、切り傷状になって症状が悪化するため、着用するのに苦痛を感じているのが現状である。
【発明の概要】
【発明が解決しようとする課題】
【０００３】  本発明は、介護用品を使用しても、股ずれしないようにして、毎日、快適な生活ができるようにしたものである。
【課題を解決するための手段】
【０００４】  そして、本発明は、上記目的を達成するため、第１の課題解決手段の図１と図２は、吸水パンツの足回りの周縁を帯状の綿で夾み、木綿か絹状の肌にやさしい布を被せてひだ状に縫合したものである。
第２の課題解決手段の図３と図４は、吸水パットの周縁を帯状の綿で夾み、木綿か絹状の肌にやさしい布を被せて縫合したものである。
【発明の効果】
【０００５】  上述のように、介護用品である吸水パンツや吸水パットの周縁を帯状の綿で夾み、その上に、肌にやさしい木綿か絹状の布を被せて縫合したので、今まで、肌に線接触であったものが、面（綿）接触になるため股ずれせず、毎日快適な生活をすることができる。
なお、本発明は、他の介護用品にも実施可能である。
【図面の簡単な説明】
【０００６】
【図１】  本発明を実施した吸水パンツの正面図
【図２】  図１の線Ａの縦断面図
【図３】  本発明を実施した吸水パットの正面図
【図４】  図３の線Ｂ−Ｂの縦断面図
【発明を実施するための形態】
【０００７】  第１の課題解決手段の１は吸水パンツ、２は足回りで、該足回り２の周縁を帯状の綿３で夾み、木綿か絹状の肌にやさしい布４を被せてひだ状に縫合している。
なお、６は吸水綿、７は横もれ防止を示す。
第２の課題解決手段の５は吸水パットで、該周縁を帯状の綿３で夾み、木綿か絹状の肌にやさしい布４を被せて縫合している。
なお、帯状の綿を縫合すると、その部分が嵩張り、ズボン等を着用する時、目立つので、外出時は帯状の綿が薄いもの、病院・介護施設や室内だけで行動する時は、厚いものが着用できるよう外出用と室内用の２通り製作した方がよい。
【符号の説明】
【０００８】  １  吸水パンツ          ５  吸水パット
２  足回り              ６  吸水綿
３  帯状の綿            ７  横もれ防止
４  肌にやさしい布
【図１】
2016056489.tif 000002
【図２】
2016056489.tif 000003
【図３】
2016056489.tif 000004
【図４】
2016056489.tif 000005
【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
介護用品である吸水パンツの足周りの周縁を、帯状の綿で夾み、その上に、肌にやさしい木綿か絹状の布を被せてひだ状に縫合した股ずれ防止付介護用品。
【請求項２】
介護用品である吸水パットの周縁を、帯状の綿で夾み、その上に、肌にやさしい木綿か絹状の布を被せて縫合した請求項１記載の股ずれ防止付き介護用品。
【手続補正２】
【補正対象書類名】明細書
【補正対象項目名】０００４
【補正方法】変更
【補正の内容】
【０００４】  そして、本発明は、上記目的を達成するため、第１の課題解決手段の図１と図２は、介護用品である吸水パンツの足周りの周縁を、帯状の綿で夾み、その上に、肌にやさしい木綿か絹状の布を被せてひだ状に縫合したものである。
第２の課題解決手段の図３と図４は、介護用品であるパツツトの周縁を、帯状の綿で夾み、その上に、肌にやさしい木綿か絹状の布を被せて縫合したものである。
(57)【要約】【課題】黄化えそ病を防止する胡瓜のハウス栽培方法。【解決手段】黄化えそ病を発生させるミナミキイロアザミウマの生命循環（卵、幼虫，蛹、成虫）を遮断することで、該病を媒介する成虫の飛散を根絶し、ウィルスの伝染を防ぐ技術。【特許請求の範囲】
【請求項１】
胡瓜をハウス栽培するにあたり、以下の各工程を行う。
１．  針葉樹からの木酢液を灌水し、耕土中の有害虫の幼虫、蛹を駆除する工程。
２．  ついでその耕土に苗を定植し、さらに木酢液にて灌水する工程。
３．  その後、一定期間をおいてニームオイルを灌水する工程。
４．  さらに苗成長後、天敵を放飼し一定期間をおいてニームオイルを葉面散布する工程。
以上の各工程を順に経ることを特徴とする栽培方法。
【請求項２】
上記請求項１において、前出１及び前出２の工程により、ミナミキイロアザミウマの蛹を成虫に孵らせないようにし、前出３及び前出４の工程により、天敵のスワルスキーカブリダニを弱らせることなく、ミナミキイロアザミウマ、ハダニを胡瓜から遠ざけるようにした胡瓜のハウス栽培方法。
【発明の詳細な説明】
【技術分野】
【０００１】この発明は、胡瓜のハウス栽培方法に関し、黄化えそ病を根絶し特に胡瓜を安定にハウス栽培できるようにした栽培方法に関する。
【背景技術】
【０００２】たとえば、胡瓜をハウス栽培する場合、減農薬、有機質肥料栽培がおこなわれている。【０００３】ところで、胡瓜をハウス栽培する場合、防虫ネット（０．４ｍｍ目合い以下）の展張、粘着トラップの設置など物理的防除と農薬の散布、天敵の放飼など化学的防除の組合せで侵入した病害虫を防除することがおこなわれている。
【発明の概要】
【発明が解決しようとする課題】
【０００４】しかし、化学農薬を散布しても耐性菌や耐性虫が発生し、その度により強い農薬を使用し駆除に努めているため、農薬にかかるコスト高による経営の圧迫を招来する。本発明は、かかる問題点に鑑み農薬コストを抑えつつ胡瓜を安定にハウス栽培できるようにした栽培方法を提供することを課題とする。【０００５】これにより、耕土中の根こぶ線虫対策資材としてネマキック粒剤（イミシアホス１．５％）を使用することなく該虫を駆除することができ、同時に黄化えそ病ウィルスを媒介するミナミキイロアザミウマの蛹も駆除できるため該病の発現を抑制でき農薬にかかるコストを大幅に低減できる。
【課題を解決するための手段】
【０００６】そこで、本発明にかかる胡瓜のハウス栽培方法は、胡瓜をハウス栽培するに辺り針葉樹からの木酢液を灌水し、耕土中の有害虫の幼虫、蛹を駆除しついでその耕土に苗を定植しさらに木酢液にて灌水し一定期間をおいてニームオイルを灌水し更に苗成長後、天敵を放飼し一定期間をおいてニームオイルを葉面散布する。以上、各段階を経ることを特徴とする。
【発明の効果】
【０００７】本発明の特徴の一つは、針葉樹からの木酢液を灌水し、耕土中の有害虫の幼虫、蛹を駆除するようにした点にある。【０００８】これにより、耕土中の根こぶ線虫対策資材としてネマキック粒剤（イミシアホス１．５％）を使用することなく該虫を駆除することができ、同時に黄化えそ病ウィルスを媒介するミナミキイロアザミウマの蛹も駆除できるため該病の発現を抑制でき農薬にかかるコストを大幅に低減できる。【０００９】害虫の忌避剤はニームオイルを使用する。すなわち、ニームオイルを灌水または葉面散布することで天敵のスワルスキーカブリダニを弱らせることなくミナミキイロアザミウマ、ハダニを胡瓜から遠ざけることができる。【００１０】また、針葉樹からの木酢液を灌水することでミナミキイロアザミウマの蛹を成虫に孵らせないようにできる。
【実施例】
【００１１】本発明にかかる農薬散布に関しては、５から１５日間隔で成分別にローテーションを組み、規定倍率にて以下のとおり実施した。
2016056159.tif 000002
また、農薬使用量及びコストについては慣行栽培との比較においては以下に示す表１のとおりである。
針葉樹からの木酢液については、３から５日間隔で５００ｃｃ〜１０００ｃｃを灌水により与えた。
このような管理により収量を大幅に増やすことができた。期間ごとの収量の比較においては以下に示す表２のとおりである。
【産業上の利用可能性】
【００１２】本発明の栽培方法は、胡瓜に適用することを確認したがナス、トマトでも同様の結果が得られた。こうしたことから、スイカ、ピーマン、メロンなど他の果菜類でも同様に適用できることが期待される。
(57)【要約】【課題】ねじは、軸部の断面形状およびねじ差し込み穴が基本は円形のものである。しかしながら、ねじ軸部の断面形状およびねじ差込穴が円形であると、回りやすく強く締め付けた後でも緩みやすく保持力、締め付け力に問題があった。【解決手段】ねじの軸部断面形状およびねじ差込穴を角丸三角形にすることにより、ねじを差し込んだときねじ軸部と差し込み穴が勘合し回りにくくなりナットでねじを締め付けた後、緩みにくくなり保持力、締め付け力が強力になり接合力を向上させる。【選択図】図１
2016056941.tif 000002
【特許請求の範囲】
【請求項１】
角丸三角断面形状を持つねじによる接合法
【発明の詳細な説明】
【技術分野】
【０００１】この発明は、ねじの形状と接合法に関する。
【背景技術】
【０００２】従来のねじは軸部の断面形状およびねじ差込穴形状が基本は円形のものである。
【先行技術文献】
【非特許文献】
【０００３】
【非特許文献１】インターネット  ウィキペディアフリー百科事典ねじ
【発明の概要】
【発明が解決しようとする課題】
【０００４】しかしながら、以上の技術によれば、ねじの軸部の断面形状と差し込み穴が円形であると回りやすく強く締め付けた後でも緩みやすく保持力、締め付け力に問題があった。
そこで、この発明はねじの断面形状と差し込み穴の形状を変え保持力、締め付け力をより強力にし接合力を向上させることを課題とする。
【課題を解決するための手段】
【０００５】以上の課題を解決するために、本発明はねじの軸部を角丸三角形の断面形状とし、ねじ差込穴も角丸三角形にする。
【発明の効果】
【０００６】本発明によれば、ねじの軸部を角丸三角形の断面形状とし接合したい部材、部品同士のねじを通すねじ差込穴も角丸三角形にする事で、ねじを通した時ねじ軸部とねじ差込穴が勘合し回転しにくくなり、ねじをナットで締め付けた後ねじが緩みにくく、保持力、締め付け力を強力にすることができ、接合力を向上させこれを使った構造物、建築物、機械、家具等の強度、安全度を増大させることができる。
【図面の簡単な説明】
【０００７】
【図１】この発明の一実施形態を示す斜視図である。
【発明を実施するための形態】
【０００８】この発明の一実施形態を、図１に示す。
ねじの軸部の断面形状とねじ差込穴を直線の辺を持つ角丸三角形とする。
【０００９】「実施形態の効果」
この実施形態によれば、ねじの軸部の断面形状とねじを差し込む通し穴を角丸三角形にすることで、ねじ軸部と接合する部材、部品同士のねじ差込穴が勘合し回転しにくくなり、ナットでねじを締め付け接合した後ねじが緩みにくく保持力、締め付け力が強力になり接合力を向上させる。
【００１０】「他の実施形態」
図１の実施形態では、ねじ軸部の断面形状が正三角形の角丸形であるが、直角三角形や他の二等辺三角形や不等辺三角形の角丸形でも直線の辺を持つ三角形の角丸形であればよい。
【００１１】図１の実施形態では、ボルトねじであるがリベットでもよい。
【００１２】図１の実施形態では、角丸三角断面形状の軸を持つボルトねじであるが、三角断面形状の軸のリベットでもよい。
【００１３】図１の実施形態では、軸全体が角丸三角断面形状のボルトねじであるが、車軸用のねじは、両端のみ角丸三角断面形状で、他は円形断面形状でよい。
【００１４】図１の実施形態では、ボルトねじの頭の形状は六角形であるが他の形状でもよい。
【００１５】ねじをナットで締め付けた後、ねじの三角形の辺の部分とナットの内側に空いている隙間の部分にクサビを打ち込んでもよい。
【００１６】ねじの三角形の辺の部分とナットの内側に空いている隙間の部分に打ち込むクサビの表面には抜けにくいよう打ち込む向きと反対向きに方向性を持たせた滑り止めの突起を設けてもよい。
【００１７】本発明を構成する角丸三角断面形状の軸を持つねじ、ナット、クサビ及び角丸三角形状のねじ差込穴を設けた接合部材、部品の材質は金属に限らず、樹脂等でもよく、この組み合わせでもよい。
【符号の説明】
【００１８】１  ねじ軸部  ２  ねじ山  ３  ねじ頭  ４  ナット  ５  クサビ
６  接合部材部品  ７  ねじ差込穴
【図１】
2016056941.tif 000003
(57)【要約】【課題】  夏場の学校等におけるプールサイドの路面は６０℃近くの高温になりホースによる散水でもすぐに乾き、足の裏の火傷や熱中症が心配され、授業等の指導や進行も考えた対策として、広い面積の温度を短時間で下げる手立てが求められている。【課題を解決するための手段】  小さな穴がたくさん開いた散水用ホースをプールサイドに敷設し通水することで冷却しようとする路面全体に均等かつ継続的に散水でき、短時間で路面の表面温度を１０℃以上下げ、霧状の水を浴びることで奪われた気化熱により体感温度も下げることができる。孔径の小さな農業用散水ホースを使用することで、ホースの内圧が維持でき広い面積が均一かつ継続的に散水可能となる。【選択図】図１
2016056674.tif 000002
【特許請求の範囲】
【請求項１】
夏場に裸足で利用する路面やプールサイド全体を均一かつ継続的に冷却する為の散水ホースの設置方法
【発明の詳細な説明】
【技術分野】
【０００１】  本発明は、高温になった路面の冷却に関する。
【背景技術】
【背景技術】
【０００２】  夏場、コンクリートやアスファルト等、路面が熱くなった場所では、打ち水や散水で温度が下がる。この場合、広い面積を冷却するには大きな労力と時間を要する。また、路面を土にしたり、表面が高温になりにくい素材を使ったりして、温度上昇を防ぐ方法もあるが、整備の面やコストの面で問題があり、実用的ではない。【０００３】  夏場におけるコンクリート等の人工物の路面は高温になりやすく、直射日光が当たることにより、表面温度は６０℃近くにもなるので、火傷や熱中症の危険もあり、プールサイドなど裸足で歩く所では、ホースで散水したり我慢したりしている。
【発明の概要】
【発明が解決しようとする課題】
【０００４】  範囲とする面積を均一に散水することで、表面温度を下げ、火傷を防ぎ路面からの照り返しによる体感温度の上昇を抑えることが必要である。特に学校等におけるプールサイドはコンクリート製が多く、ホースによる散水でもすぐに乾いてしまい、足の裏の火傷や熱中症の対策、授業等の指導や進行も考えた対策として、広い面積の温度を短時間で下げる手立てが求められている。
【課題を解決するための手段】
【０００５】  散水チューブを敷設し冷却しようとする路面全体に均等かつ継続的に散水することで、表面温度を下げ、奪われた気化熱によって体感温度も下げることができる。【０００６】  小さな穴がたくさん開いた農業用散水用ホースをプールサイドに設置して放水した場合、３０ｍ〜５０ｍの間において幅２〜３ｍ程の面を均一に散水できる。散水タイプの使い分けにより利用者の邪魔にならない場所に設置できると共に、収納が簡単で季節使用に対応できる。
【発明の効果】
【０００７】  本発明により一斉にプールサイド全体に散水が行えるため、僅か数分間でプールサイドの表面温度は１０℃前後下がり、体感温度を下げることになり、裸足で歩く足の裏の火傷や、噴水により霧状の水を浴び、気化熱が奪われ熱中症の予防につながり、プールサイドにおける指導にも好影響をもたらす。
【図面の簡単な説明】
【０００８】
【図１】プールサイドにおける散水ホースの設置図
【図２】片側用の散水ホースの形状及び散水時における断面の形状図
【図３】両側用の散水ホースの形状及び散水時における断面の形状図
【発明を実施するための形態】
【０００９】  片側用散水ホース図２を図１のようにプールサイドの縁に沿って設置するとプールサイド全面に散水できる。また、用途に応じ両側用散水ホース図３を使用することもできる。
【００１０】  散水ホースの孔７は孔径０．２ｍｍ〜０．３ｍｍ、孔間隔２５ｍｍ〜４０ｍｍくらいの市販品が有効である。市販品の農業用散水ホースは、ホースの内圧が維持でき広い面積が均一かつ継続的に散水できる。
【００１１】  図２のホース６を図１のようにプールサイドに敷設することで歩行を妨げずに使え、場所によっては図３の両方向散水タイプのものを使用する。何れのホースも幅２〜３ｍの範囲に散水できる。
【００１２】  適当な間隔で４のようにホースを固定することで、風による移動や捻れを防ぐことができ安定した機能が維持できる。
【００１３】  水は図２，図３の散水時断面図のように上方に向かうので、直接体に浴びることができ、体感温度を下げ、路面も冷却することになり、照り返しの減少とともに熱中症対策となる。
【符号の説明】
【００１４】  １    プールの一般的な水槽
２    コンクリート製プールサイド
３    散水ホース
４    散水ホース固定具
５    水栓
６    片側用の散水ホース
７    散水孔
８    散水時のホースの膨らみ
９    両側用の散水ホース
１０  フィルター
【産業上の利用可能性】
【００１５】  夏場、裸足で利用する屋外設置プールの場合、床面がコンクリートタイプのプールサイドが大半で、従来多くの施設では水道ホースやバケツ等による散水で対応しているが効果は薄い。また、授業においては監視者もしくは指導者がこの任を行わなければならず、授業運営に支障をきたす。また熱中症対策としても直射日光に曝される場所で、体に水を浴びたり、足元の温度を下げたりすることは効果的な対策となる。
【図１】
2016056674.tif 000003
【図２】
2016056674.tif 000004
【図３】
2016056674.tif 000005
(57)【要約】【課題】扉および戸の外板と内板の間に上枠板、下枠板、左枠板、右枠板に囲まれた内部の空間に設けた格子の空間に緊急避難用品を備蓄する機能を提供し、緊急災害時に扉を通過するたびに本発明の扉および戸の外板と内板の間の上枠板、下枠板、左枠板、右枠板内に囲まれた内部の空間に設けた格子の空間に備蓄されている緊急避難用品を取得して避難ができる。【解決手段】扉の外板（１）と内板（２）の間に上枠板（３）、下枠板（４）、左枠板（５）、右枠板（６）で囲まれた内部に空間を設け、その内部の空間に横格子板（７）、縦格格子板（８）で格子の空間（１２）を有し、この格子の空間（１２）に緊急避難用品を備蓄する。格子の空間（１２）に備蓄した緊急避難用品を取出すための開口部（９）および開口部の扉（１３）を備え、開口部の扉（１３）を施錠および解錠するための平面ラッチ錠（１０）を有する事を特徴とする。【選択図】図１
2016056668.tif 000002
【特許請求の範囲】
【請求項１】
扉および戸の外板（１）、内板（２）と上枠板（３）、下枠板（４）、左枠板（５）、右枠板（６）に囲まれた内部の空間に緊急避難用品および物品を備蓄する機能を有する扉および戸。
【請求項２】
請求項１記載の内部の空間に緊急避難用品および物品を備蓄保持する機能を持った格子の空間（１２）を有する。
【請求項３】
請求項１記載の内部の空間に備蓄された緊急避難用品および物品を取出すための開口部（９）および開口部の扉（１３）を有する。
【発明の詳細な説明】
【技術分野】
【０００１】本発明は、扉および戸の外板と内板の間に上枠板、下枠板、左枠板、右枠板に囲まれた内部に空間を設け、この内部の空間に緊急避難用品および物品を備蓄する機能を有するものである。
【背景技術】
【０００２】従来、扉および戸は屋外と屋内、部屋と通路及び部屋と部屋との隔離および遮断の機能のみであった。【０００３】緊急避難用品は特定の緊急避難用品保管場所（専用の部屋または棚）に備蓄し、緊急災害時その緊急避難用品保管場所から緊急避難用品を取得しなければならなかった。【０００４】緊急避難用品を備蓄している緊急避難用品保管場所が災害発生位置から遠いか、又は避難方向が緊急避難用品保管場所と逆方向の場合は、避難途中に緊急避難用品を入手できない事があった。【０００５】本発明は、災害発生時の災害発生位置に係らず、避難途中に通過する各扉および戸の外板と内板の間に上枠板、下枠板および左枠板、右枠板で囲まれた内部空間内に備蓄されている緊急避難用品を容易に入手できる事が特徴である。
【発明の概要】
【発明が解決しようとする課題】
【０００６】従来は、次のような欠点があった。【０００７】従来品の扉および戸は屋外と屋内、部屋と通路および部屋と部屋との隔離および遮断の機能のみであった。【０００８】従来、緊急避難用品は特定の緊急避難用品保管場所に備蓄して、緊急災害時に緊急避難用品保管場所から入手しなければならないが、災害発生位置が緊急避難用品保管場所から遠いか又は避難方向が緊急避難用品保管場所と逆方向の場合は、緊急避難用品を入手できない事もあった。【０００９】本発明は、以上のような欠点を解決するために発明されたものである。
【課題を解決するための手段】
【００１０】扉の外板（１）と内板（２）の間に上枠板（３）、下枠板（４）、左枠板（５）、右枠板（６）で囲まれた内部に空間を設け、横格子板（７）、縦格子板（８）で格子の空間（１２）を設ける。【００１１】この格子の空間（１２）に備蓄した緊急避難用品を取出すための開口部（９）および開口部の扉（１３）を設ける。【００１２】開口部の扉（１３）を開口部（９）に施錠装着するための平面ラッチ錠（１０）を設ける。
【発明の効果】
【００１３】避難途中に扉を通過するたびに開口部の扉（１３）の平面ラッチ錠（１０）を指先で解錠して開口部の扉（１３）を取外し、格子の空間（１２）に備蓄されている緊急避難用品が入手できる。【００１４】避難途中、容易に緊急避難用品を入手できれば被災軽減となる。【００１５】平時（災害発生時以外）は、開口部の扉（１３）を開口部（９）に施錠装着し、従来からの扉として屋外と屋内、部屋と通路および部屋と部屋との隔離および遮断の機能を有し、扉としての機能に何ら支障がない。
【図面の簡単な説明】
【００１６】
【図１】開口部（９）から開口部の扉（１３）を取外した場合の本発明の斜視図である。
【図２】開口部（９）に開口部の扉（１３）を施錠装着した場合の本発明の斜視図である。
【発明を実施するための形態】
【００１７】以下、本発明の実施の形態を説明する。
【００１８】扉の外板（１）と内板（２）の間に上枠板（３）、下枠板（４）、左枠板（５）、右枠板（６）で囲まれた内部に空間を設け、その内部の空間に横格子板（７）、縦格子板（８）で格子の空間（１２）を設ける。
【００１９】格子の空間（１２）に備蓄した緊急避難用品を取出すための開口部（９）及び開口部の扉（１３）を設ける。
【００２０】開口部の扉（１３）を開口部（９）に施錠装着のための平面ラッチ錠（１０）を設ける。
【００２１】平面ラッチ錠（１０）は突起部がないので怪我する事なく解錠ができ、しかも容易に開口部の扉（１３）を取外す事ができる。
【００２２】上枠板（３）、下枠板（４）、左枠板（５）、右枠板（６）、横格子板（７）、縦格子板（８）により、扉の反りの変形歪みの軽減ができる。
【００２３】開口部の扉（１３）が開口部（９）に施錠装着されていても格子の空間（１２）に備蓄されている緊急避難用品を可視化するため開口部の扉（１３）に透明材を使用する。
【００２４】屋内外の各扉に本発明の機能を施す事により緊急避難用品を分散備蓄ができる。
【符号の説明】
【００２５】１    外板
２    内板
３    上枠板
４    下枠板
５    左枠板
６    右枠板
７    横格子板
８    縦格子板
９    開口部
１０  平面ラッチ錠
１１  扉の取手
１２  格子の空間
１３  開口部の扉
【図１】
2016056668.tif 000003
【図２】
2016056668.tif 000004
(57)【要約】【課題】  高効率の内燃機関を提供する。【解決手段】  吸気圧縮機と間欠ギヤ−ロータリ機構を設け、吸気圧縮機と間欠ギヤ−ロータリ機構の回転軸の間に動力伝達装置を設ける。その吸気圧縮機と間欠ギヤ−ロータリ機構との気体移動部分に燃焼室を設ける。以上を特徴とする間欠ギヤ−ロータリ機構の閉区間連続燃焼型内燃機関である。【選択図】図１
2016056797.tif 000002
【特許請求の範囲】
【請求項１】
間欠ギヤ−ロータとケーシングのガス通過表面に凹凸を施してシーリング効果を持たせた出力用間欠ギヤ−ロータリ機構と吸気圧縮機を動力伝達装置で連結、各々の間欠ギヤ−ロータは位相ずれしない構造とし、燃焼室は、吸気圧縮機と出力用間欠ギヤ−ロータリ機構を接続する配管部分とする間欠ギヤ−ロータリ機構の閉区間連続燃焼型内燃機関。
【発明の詳細な説明】
【技術分野】
【０００１】  本発明は、高効率の内燃機関に関するものである。
【背景技術】
【０００２】  従来の連続燃焼型内燃機関は、ガスタービンエンジンのように開放式燃焼型内燃機関であった。
【発明の開示】
【０００３】そのために、次のような問題点があった。
（イ）中低速回転時の燃焼効率が低い。
（ロ）中低速回転時の出力の取り出しに困難である。
（ハ）連続燃焼型内燃機関は、ガスタービンエンジンのように熱対策での製品コストが高      額となる。
（ニ）出力回転数の制御の応答が悪い。
本発明は、これらの問題点を解決するためになされたものである。
【課題を解決するための手段】
【０００４】  吸気圧縮機と間欠ギヤ−ロータリ機構を設け、吸気圧縮機と間欠ギヤ−ロータリ機構の回転軸の間に動力伝達装置を設ける。その吸気圧縮機と間欠ギヤ−ロータリ機構との気体移動部分に燃焼室を設ける。以上を特徴とする間欠ギヤ−ロータリ機構利用の閉区間連続燃焼型内燃機関である。
【発明の効果】
【０００５】  作りやすい構造で低コスト、機械損失が少ないのでエネルギー効率が良く、容易に出力可変できる連続燃焼型内燃機関である。
【発明を実施するための最良の形態】
【０００６】    以下、本発明の実施形態について説明する。
（イ）  吸気圧縮機（２）と間欠ギヤーロータリ機構（８）を設け、吸気圧縮機と間欠ギ      ヤーロータリ機構の回転軸の間に動力伝達装置（６）を設ける。
（ロ）  吸気圧縮機と間欠ギヤーロータリ機構との間の閉区間気体移動部分に燃焼室（３      ）を設ける。
（ハ）  燃焼室（３）に燃料噴射口（４）を設け、その近傍に点火装置（５）を設け、間      欠ギヤーロータリ機構へのガス移動口としてサイドポート（１０）を設ける。
（ニ）  各々の間欠ギヤ−ロータの位相ずれが起こらないようタイミング伝達構造（７）      を設ける。
（ホ）  運転中の間欠ギヤーロータリ機構のケーシングと間欠ギヤーロータとの間のガス      シーリング効果を得るように間欠ギヤーロータリ機構のケーシング、間欠ギヤーロ      ータのガス通過部分に凹凸面（１１）を施す。
本発明は以上のような構成になっている。これを使用するときは、外部動力によって始動すると吸気圧縮機（２）により燃焼室（３）へ給気、圧縮を行って燃料噴射口（４）より燃料を燃焼室（３）へ噴射し、点火装置（５）によって燃焼を行い、その熱膨張によって間欠ギヤーロータリ機構（８）を回転して動力を得ることができる。
本発明の使用形態は、燃焼室（３）の形状の変更、動力伝達装置（４）の変速比の増減、吸気圧縮機（２）の吸気量の増減等の変更によって利用状況に合わせた機関を供給することができる。
【図面の簡単な説明】
【０００７】
【図１】本発明の基本構成図
【図２】間欠ギヤーロータリ機構の断面図
【符号の説明】
【０００８】  １  吸気口
２  吸気圧縮機
３  燃焼室
４  燃料噴射口
５  点火装置
６  動力伝達装置
７  タイミング伝達構造
８  間欠ギヤーロータリ機構
９  シャフト
１０  サイドポート
１１  凹凸面
１２  排気口
【図１】
2016056797.tif 000003
【図２】
2016056797.tif 000004
(57)【要約】      （修正有）【課題】トラック、ダンプカー、船、自動車、スクーター等の各種内燃機関は、始動時と増速時に有毒な排気ガスを多く排出している。減速時、停止時に燃焼室内面がクールダウンする。冷えた燃焼室においても燃料を完全燃焼とさせる装置を提供する。【解決手段】クールダウン時酸素不足は致命的な間違いである。排気ガスを直接燃焼室内に送り込んでヒートアップさせて、十分な酸素を高温の水蒸気から供給すれば解決できる。かつ、再生可能エネルギーに、高圧力の圧縮排気ガスを利用する。【選択図】図３
2016014384.tif 000002
【特許請求の範囲】
【請求項１】
排気ガスを燃焼室内に直接送り込んで、燃焼室内面を最適な高温状態に保持するシステム。
【請求項２】
燃焼に必要な酸素を空気でわなく、高温の水蒸気を利用するシステム。
【請求項３】
高圧力の圧縮排気ガスでエアーモーターを回転し、動力を内燃機関に伝達させて、内燃機関の負荷を軽減する。
【発明の詳細な説明】
【技術分野】
【０００１】本発明は、−−−気筒内で水蒸気爆発を発生させて、燃料を完全燃焼するシステムである。
【背景技術】
【０００２】従来の内燃機関について説明する−−−気筒内で不完全燃焼している。
【発明の開示】
【発明が解決しようとする課題】−−−完全燃焼。【０００３】▲１▼−−−図１のバタ弁▲４▼を１／２閉弁→バタ弁▲５▼全開→バタ弁▲６▼を閉じると排気ガスは▲７▼の排気バイパス管を通り吸気管▲８▼に送り込まれ、吸気弁を熱っしながら気筒内に入り燃焼室内面を高温にする。
▲２▼−−−電気式噴霧器▲１▼によって噴霧された水蒸器は二重構造排気集合管▲２▼の外筒▲３▼と内筒▲４▼の空間で熱っせられ、▲９▼の水蒸気加熱器内蔵消音器に送られ高温度になり吸気管▲８▼に送り込まれる。
▲３▼−−−噴霧された燃料は、一瞬で気化→着火→水蒸気爆発して完全燃焼する。
【図１】
2016014384.tif 000003
【図２】
2016014384.tif 000004
【図３】
2016014384.tif 000005
【手続補正書】
【提出日】平成26年10月6日(2014.10.6)
【手続補正２】
【補正対象書類名】明細書
【補正対象項目名】全文
【補正方法】変更
【補正の内容】
【発明の詳細な説明】
【技術分野】
【０００１】本発明は・・・気筒内で水蒸気爆発を発生させて燃料を完全燃焼するシステムである。
【背景技術】
【００２】従来の内燃機関について説明する・・・気筒内で不完全燃焼している。
【発明の開示】
【発明が解決しようとする課題】完全燃焼【０００３】▲１▼…図１のバタ弁▲４▼を１／２閉弁→バタ弁▲５▼全開→バタ弁▲６▼を閉じると        、排気ガスは▲７▼の排気バイパス管を通り吸気管▲８▼に送り込まれ、吸気弁        を熱っしながら気筒内に入り、燃焼室内面を高温にする。
▲２▼…電気式噴霧器▲１▼によって噴霧された水蒸気は二重構造排気集合管▲２▼の外        筒▲３▼と内筒▲１０▼の空間で熱っせられ▲９▼の水蒸気加熱器内蔵消音器に        送られ高温度になり吸気管▲８▼に送り込まれる。
▲３▼…噴霧された燃料は一瞬で気化→着火→水蒸気爆発して完全燃焼する。
【図面の簡単な説明】
【図１】「発明の要部を示す図」ア…少くない燃料で内燃機関をヒートアップするときは、バタ弁４を１／２閉弁、バタ弁５全開、バタ弁６を閉弁すると排気ガスは排気バイパス管７を通り吸気管８に送り込まれる、この排気ガスは燃料を完全燃焼するには酸素不足である。イ…高温で多量の酸素を供給する為１の電気式噴電器で清水を２の二重構造排気集合管の外筒３  内筒１０にできる空間に清水を噴霧する。気化して温められた水蒸気は、水蒸気加熱器内蔵消音器に送り込まれる。ウ…クールダウンしていない燃焼室内に高温の排気ガスと、高温の水蒸気が吸気管８に送り込まれ、少くない燃料が噴霧された燃焼室内で、完全燃焼する。エ…オーバーヒートを防止する為にはバタ弁４を全開、バタ弁５は全閉、バタ弁６を全開にする。不完全燃焼にしないため１の電気噴霧器の出力を上げる。オ…内燃機関を停止するときは１の電気式噴霧器を停止  ４のバタ弁全開５のバタ弁全閉、６のバタ弁全開、タールダウンするとともに内燃期間内に残存する水蒸気を排出する。他の部分で水蒸気爆発するのを防止する為。
【図２】「分解斜視図」ア…充気弁は図３の８排気ガス槽に排気ガスを送り込んだり止めたりする部品である。イ…第一番気筒内で水蒸気爆発した高圧の排気ガスは６の排気ガス取入口まで来ている１の充気開閉弁を開弁すると高圧の排気ガスは３の自動開閉弁を押し上げ図３の１１逆止弁を通り８の排気ガス槽に送り込まれる。ウ…１の充気開閉弁を閉弁すると充気は止まる。
【図３】「平面図」ア…内燃機関がアイドル回転しているとき  ６と４のプーリは回転している。イ…内燃機関の負荷が大きくなれば２の電磁開閉弁を開弁する。ウ…８排気ガス槽から高圧力の排気ガスが１２の水冷式エアーモーターを回転させて３の自動違心クラッチを作動させる。エ…水冷式エアーモーター１２の動力を内燃機関に伝え負荷を小さくする。
【符号の説明】「図１  発明の要部を示す図」
ア…１…電気式噴霧器から二重構造排気集合管に清水が噴霧され送り込まれる符号。
２…二重構造排気集合管、３…外筒、４…バタ弁、５…バタ弁、６…バタ弁、７…排    気バイパス管、８…吸気管、９…温められた水蒸気が、水蒸気加熱器内蔵消音器へ送    り込まれる符号１０…内筒。
「図２  分解斜視図」
イ…１…充気開閉弁  ２…スプリング  ３…自動開閉弁  ４…冷却水入口
５…冷却水出口  ６…排気ガス取入口
「図３  平面図」
ウ…１…充気開閉弁  ２…電磁開  ３…自動違心クラッチ  ４…プーリ
５…Ｖベルト  ６…プーリ  ７…水冷式充気弁  ８…排気ガス槽  ９…排出ガス出口    １１…逆止弁  １２…水冷式エアーモーター  １３…フライホイール
(57)【要約】【課題】確実に発生土から有害物質が溶出することを防止できる有害物質の溶出防止方法を提供する。【解決手段】地盤を掘削して発生した発生土から、該発生土に含まれた有害物質が溶出することを防止する方法であって、発生土の粒子に撥水性を有する薬剤を接触させ、粒子の表面に薬剤の被膜を形成するようにした。【選択図】なし【特許請求の範囲】
【請求項１】
地盤を掘削して発生した発生土から、該発生土に含まれた有害物質が溶出することを防止する方法であって、
前記発生土の粒子に撥水性を有する薬剤を接触させて、前記粒子の表面を処理するようにしたことを特徴とする有害物質の溶出防止方法。
【発明の詳細な説明】
【技術分野】
【０００１】
本発明は、例えば岩盤を掘削して発生した岩ズリなどの発生土から、この発生土に含まれた有害物質が溶出することを防止する方法に関する。
【背景技術】
【０００２】
トンネル建設など、大量の地盤掘削を要する工事では、掘削除去した岩ズリなどの発生土を現場近くに仮置きすることが必要になる。
【０００３】
一方、このような岩ズリなどの地盤を掘削して発生した発生土には、自然由来、人為由来にかかわらず、重金属類、有機化合物などの有害物質が含まれている場合がある。このため、仮置き時に発生土を雨水などとの接触させてしまうと、有害物質が溶出し、周辺環境に拡散して悪影響を及ぼすことが懸念される。また、岩ズリなどでは、雨水などと接触するとスレーキング現象によって細片化することがあり、この細片化によって比表面積が大きくなることでさらに有害物質の溶出が促進されることになる。
【０００４】
これに対し、従来、仮置きした発生土をブルーシートなどで被覆して雨水との接触を低減させる対策などを行って有害物質の拡散を防止するようにしている。
【０００５】
なお、特許文献１には、石灰成分を含む廃棄物からの有害物質の溶出を防止する方法が開示されている。
【先行技術文献】
【特許文献】
【０００６】
【特許文献１】特開２０１４−１３３８６５号公報
【発明の概要】
【発明が解決しようとする課題】
【０００７】
しかしながら、ブルーシートなどで被覆する対策は、確実に雨水などの水を遮断できないことが多く、確実性、信頼性の面で問題がある。
【０００８】
本発明は、上記事情に鑑み、確実に発生土から有害物質が溶出することを防止できる有害物質の溶出防止方法を提供することを目的とする。
【課題を解決するための手段】
【０００９】
上記の目的を達するために、この発明は以下の手段を提供している。
【００１０】
本発明の有害物質の溶出防止方法は、地盤を掘削して発生した発生土から、該発生土に含まれた有害物質が溶出することを防止する方法であって、前記発生土の粒子に撥水性を有する薬剤を接触させて、前記粒子の表面を処理するようにしたことを特徴とする。
【発明の効果】
【００１１】
本発明の有害物質の溶出防止方法においては、岩ズリなどの発生土の表面を、撥水性を有する薬剤で処理することにより、雨水などの水と接触しても内部への水の浸透を防止することができ、スレーキング現象によって粒子が細片化することを防止できる。
【００１２】
これにより、自然由来、人為由来を問わず、この発生土に重金属類などの有害物質が含まれている場合であっても、有害物質が外部に溶出し拡散することを防止（抑止）することが可能になる。
【発明を実施するための形態】
【００１３】
以下、本発明の一実施形態に係る有害物質の溶出防止方法について説明する。
【００１４】
ここで、本実施形態は、例えばトンネル建設など、大量の地盤掘削を要する工事で発生した岩ズリなどの発生土から有害物質（汚染物質）が溶出することを防止するための方法に関するものである。
【００１５】
具体的に、本実施形態の有害物質の溶出防止方法においては、岩ズリなどの発生土の表面を、撥水性を有する薬剤で処理する。この手法としては、浸透性吸水防止剤などの撥水性を有する薬剤に発生土を浸漬させたり、撥水性を有する薬剤を発生土に散布するなどし、発生土の粒子の表面を撥水処理（防止処理）する。
【００１６】
また、撥水性を有する薬剤で発生土の表面を処理した後に、自然乾燥、強制乾燥の乾燥処理を行うことが望ましい。
【００１７】
そして、このように岩ズリなどの発生土の表面を浸透性吸水防止剤などの薬剤で処理すると、この発生土を仮置きしている状態で（または施工中に）、雨水が接触したとしても、発生土の土粒子の内部への水分の浸透が防止、抑止される。
【００１８】
これにより、雨水が接触することで発生土の粒子がスレーキング現象によって細片化することがなくなる。よって、従来のように仮置きした発生土の粒子が細片化し、比表面積が大きくなって、内部の有害物質の溶出が促進されることがない。
【００１９】
ここで、発生土（岩ズリ）の粒子の表面に撥水性を有する薬剤（浸透性吸水防止剤）を接触させて処理したものと、無処理の発生土の粒子をそれぞれ、水道水に浸漬させて観察を行った。
【００２０】
この結果、浸漬１１日目に、無処理の発生土の粒子がスレーキング現象によって２つに割れたのに対し、表面を薬剤で処理した粒子は全く変化が確認されなかった。
【００２１】
したがって、本実施形態の有害物質の溶出防止方法においては、岩ズリなどの発生土の表面を、撥水性を有する薬剤で処理することにより、雨水などの水と接触しても内部への水の浸透を防止することができ、スレーキング現象によって粒子が細片化することを防止できる。
【００２２】
これにより、自然由来、人為由来を問わず、この発生土に重金属類などの有害物質が含まれている場合であっても、有害物質が外部に溶出し拡散することを防止（抑止）することが可能になる。
【００２３】
以上、本発明に係る有害物質の溶出防止方法の一実施形態について説明したが、本発明は上記の一実施形態に限定されるものではなく、その趣旨を逸脱しない範囲で適宜変更可能である。